【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
情報交換デバイスであって、
該デバイスに使用される回転可能顧客交換可能ユニットの外部表面に非固定的に装着された構造的取り付けコンポーネントであって、前記回転可能顧客交換可能ユニットの本体に沿ったその軸方向移動が前記回転可能顧客交換可能ユニットの構造により制限されることにて前記回転可能顧客交換可能ユニットの回転とは無関係に回転自在である構造的取り付けコンポーネントと、
前記構造的取り付けコンポーネント上に少なくとも形成されるかまたは装着されかつ前記回転可能顧客交換可能ユニットの外部表面から離れた方向へ突出している構造突起コンポーネントと、
前記回転可能顧客交換可能ユニットが使用される前記デバイスにインストールされた際、前記デバイス内のリーダユニットとデータ通信を確立する前記構造的取り付けコンポーネントに取り付けられた電子的読み出し可能監視モジュールと、
を含み、
前記構造的取り付けコンポーネントが可撓性材料から形成された周状バンドを含み、前記可撓性材料がプラスチックフィルムである、情報交換デバイス。
【請求項２】
前記プラスチックフィルムがポリカーボネートである請求項１に記載の情報交換デバイス。
【請求項３】
前記電子的読み出し可能監視モジュールが、前記構造的取り付けコンポーネントの外部表面に前記電子的読み出し可能監視モジュールを接着させることにより、前記構造的取り付けコンポーネントに取り付けられる請求項１に記載の情報交換デバイス。
【請求項４】
前記可撓性材料が複数の層から形成されており、前記複数の層の間に前記電子的読み出し可能監視モジュールを埋め込むことにより、前記電子的読み出し可能監視モジュールが前記構造的取り付けコンポーネントに取り付けられる請求項１に記載の情報交換デバイス。
【請求項５】
前記構造突起コンポーネントは、前記デバイス内の固定構造と協働して前記構造的取り付けコンポーネントの回転を拘束するが、前記デバイスの動作中は前記回転可能顧客交換可能ユニットを連続的に自在回転させるように構成される請求項１に記載の情報交換デバイス。
【請求項６】
前記周状バンド上の前記構造突起コンポーネントと前記電子的読み出し可能監視モジュールの相対的位置決めによって、前記電子的読み出し可能監視モジュールは、前記周状バンドの回転が拘束された際、画像形成デバイス内の読み出しデバイスに直接対面する位置で停止させられる請求項５に記載の情報交換デバイス。
【請求項７】
停止時には前記前記電子的読み出し可能監視モジュールが前記読み出しデバイスと無線通信する請求項６に記載の情報交換デバイス。
【請求項８】
前記電子的読み出し可能監視モジュールが該電子的読み出し可能監視モジュールから延出している少なくとも一つのコンタクトノードを含み、前記電子的読み出し可能監視モジュールが前記読み出しデバイスに前記直接対面する位置で停止した際、前記少なくとも一つのコンタクトノードが前記読み出しデバイスに接触し、前記読み出しデバイスの面上の協働端子に接触することにて、前記電子的読み出し可能監視モジュールと前記読み出しデバイスの間で有線通信を確立する請求項６に記載の情報交換デバイス。
【請求項９】
装置内の情報交換システムであって、
オペレーティング装置内の少なくとも１つの回転可能顧客交換可能ユニットの動作位置の近傍に配置された固定構造体と、
前記固定構造体と協働するように配置された情報交換読み出しデバイスと、
使用のために前記オペレーティング装置内に設置される少なくとも１つの回転可能顧客交換可能ユニットと、
を備え、
前記少なくとも１つの回転可能顧客交換可能ユニットは、
前記回転可能顧客交換可能ユニットの外部表面に非固定的に装着され、前記回転可能顧客交換可能ユニットの回転とは無関係に回転自在である、構造的取り付けコンポーネントと、
前記回転可能顧客交換可能ユニットの前記外部表面に設けられ、前記回転可能顧客交換可能ユニットの本体に沿って前記構造的取り付けコンポーネントが軸方向に移動することを制限する少なくとも１つの物理的構造体と、
前記構造的取り付けコンポーネント上に少なくとも形成されるかまたは装着されかつ前記回転可能顧客交換可能ユニットの外部表面から離れる方向へ突出している構造突起コンポーネントと、
前記構造的取り付けコンポーネントに取り付けられ、前記回転可能顧客交換可能ユニットが使用のために前記オペレーティング装置内に設置された際に前記情報交換読み出しデバイスとデータ通信を確立する、電子的読み出し可能監視モジュールと、
を含み、
前記構造的取り付けコンポーネントが可撓性材料から形成された周状バンドを含み、前記可撓性材料が複数の層から形成されており、前記複数の層の間に前記電子的読み出し可能監視モジュールを埋め込むことにより、前記電子的読み出し可能監視モジュールが前記構造的取り付けコンポーネントに取り付けられる、情報交換システム。
【請求項１０】
請求項９に記載の情報交換システムであって、前記情報交換読み出しデバイスが前記固定構造体に取り付けられている、情報交換システム。
【請求項１１】
請求項９に記載の情報交換システムであって、前記構造的取り付けコンポーネントの外部表面に前記電子的読み出し可能監視モジュールを接着することにより、前記電子的読み出し可能監視モジュールが前記構造的取り付けコンポーネントに取り付けられる、情報交換システム。
【請求項１２】
請求項９に記載の情報交換システムであって、前記構造突起コンポーネントは、固定構造体と協働して前記周状バンドの回転を拘束する一方で、前記顧客交換可能ユニットが画像形成デバイス内で回転動作を継続できるように維持するように構成される、情報交換システム。
【請求項１３】
請求項１２に記載の情報交換システムであって、前記構造的取り付けコンポーネント上の前記構造突起コンポーネントと前記電子的読み出し可能監視モジュールの相対的位置決めによって、前記電子的読み出し可能監視モジュールは、前記周状バンドの回転が拘束された際に、前記画像形成デバイス内の前記情報交換読み出しデバイスに直接対面する位置で停止させられる、情報交換システム。
【請求項１４】
請求項１３に記載の情報交換システムであって、前記電子的読み出し可能監視モジュールが、停止時に前記情報交換読み出しデバイスと無線通信する、情報交換システム。
【請求項１５】
請求項１３に記載の情報交換システムであって、
前記情報交換読み出しデバイスは、前記電子的読み出し可能監視モジュールに対面する表面上に少なくとも１つのコンタクト端子を備え、
前記電子的読み出し可能監視モジュールは、前記情報交換読み出しデバイスに対面する表面から延出している少なくとも一つのコンタクトノードを含み、
前記電子的読み出し可能監視モジュールが前記情報交換読み出しデバイスに前記直接対面する位置で停止した際に、前記少なくとも一つのコンタクトノードが、前記少なくとも１つのコンタクト端子に接触することで、前記電子的読み出し可能監視モジュールと前記情報交換読み出しデバイスとの間に有線通信を確立する、情報交換システム。
【請求項１６】
請求項１４に記載の情報交換システムであって、少なくとも２つの前記回転可能顧客交換可能ユニットが動作および前記情報交換読み出しデバイスとの通信を実施している第１の空間と、前記情報交換読み出しデバイスとの通信を実施していない他の前記回転可能顧客交換可能ユニットが動作中の第２の空間とを分離する少なくとも１つの別個の物理的構造体をさらに含む、情報交換システム。
【請求項１７】
請求項９に記載の情報交換システムであって、
前記固定構造体は、前記装置内の少なくとも２つの回転可能顧客交換可能ユニットの前記動作位置の近傍に配置され、
前記情報交換読み出しデバイスは、前記固定構造体に取り付けられ、少なくとも、前記少なくとも２つの回転可能顧客交換可能ユニットのうちの第１の回転可能顧客交換可能ユニットの前記構造的取り付けコンポーネントに取り付けられた第１の電子的読み出し可能監視モジュール、および、前記少なくとも２つの回転可能顧客交換可能ユニットのうちの第２の回転可能顧客交換可能ユニットの前記構造的取り付けコンポーネントに取り付けられた第２の電子的読み出し可能監視モジュールと、協働的に通信するように構成される、情報交換システム
【請求項１８】
装置内で情報を交換する方法であって、
前記装置内の少なくとも２つの回転可能顧客交換可能ユニットの少なくとも２つの動作位置の間に配置された固定構造体を設けるステップと、
前記固定構造体に取り付けられた情報交換読み出しデバイスを設けるステップと、
前記装置内の前記少なくとも２つの動作位置に、少なくとも２つの回転可能顧客交換可能ユニットを、動作させるために設置するステップと、
を含み、
前記少なくとも２つの回転可能顧客交換可能ユニットの各々は、
前記各回転可能顧客交換可能ユニットの外部表面に非固定的に装着され、前記回転可能顧客交換可能ユニットの回転とは無関係に回転自在である、構造的取り付けコンポーネントと、
前記回転可能顧客交換可能ユニットの前記外部表面に設けられ、前記回転可能顧客交換可能ユニットの本体に沿って前記構造的取り付けコンポーネントが軸方向に移動することを制限する少なくとも１つの物理的構造体と、
前記構造的取り付けコンポーネント上に少なくとも形成されるかまたは装着されかつ前記回転可能顧客交換可能ユニットの外部表面から離れる方向へ突出している構造突起コンポーネントと、
前記構造的取り付けコンポーネントに取り付けられ、前記回転可能顧客交換可能ユニットが動作のために前記装置内に設置された際に前記情報交換読み出しデバイスとデータ通信を確立する、電子的読み出し可能監視モジュールと、
を備え、
前記方法がさらに、
それぞれの前記構造突起コンポーネントが前記固定構造体に当接するまで、前記少なくとも２つの回転可能顧客交換可能ユニットをそれぞれの動作位置にて回転させることで、前記少なくとも２つの回転可能顧客交換可能ユニットの前記構造的取り付けコンポーネントの回転が拘束される一方で、前記顧客交換可能ユニットは前記装置内で回転動作を継続できるように維持されるステップと、
前記電子的読み出し可能監視モジュールが停止された際に、前記電子的読み出し可能監視モジュールと前記情報交換読み出しデバイスとの間に、無線通信および有線通信のうちの少なくとも一方を確立するステップと、
を含む方法。